(57)【要約】【課題】本発明は、安価で、かつ、構造が簡単な照明器具の取付位置調整構造を提供するものである。【解決手段】本発明に係る照明器具の取付位置調整構造は、天井に取り付けられるローゼットＢ１に取り付けて電気的に接続されるアダプターＡに取り付ける照明器具Ｃの取付位置調整構造であって、前記取付位置調整構造は、前記アダプターＡと、前記アダプターに対して嵌合可能な嵌合構造を有するリング体１０とから構成され、前記リング体１０を上下に移動させることにより、当該リング体１０の位置を上下方向に調整可能としたことを特徴とする。【選択図】図４
2020202041.tif 000002
【特許請求の範囲】
【請求項１】
天井に取り付けられる引っ掛けシーリングローゼットに取り付けて電気的に接続されるアダプターに取り付ける照明器具の取付位置調整構造であって、
前記取付位置調整構造は、前記アダプターと、前記アダプターに対して嵌合可能な嵌合構造を有するリング体とから構成され、
前記リング体を上下に移動させることにより、当該リング体の位置を上下方向に調整可能とした
ことを特徴とする照明器具の取付位置調整構造。
【請求項２】
前記リング体は、照明器具を取り付けるための水平方向に延出する環状の鍔片を備えている
ことを特徴とする請求項１に記載の照明器具の取付位置調整構造。
【請求項３】
前記鍔片は、前記リング体と分離可能に構成されている
ことを特徴とする請求項２に記載の照明器具の取付位置調整構造。
【請求項４】
前記リング体は、当該リング体とは別に前記アダプターに対して嵌合可能な嵌合構造を有する副リング体を備えている
ことを特徴とする請求項１に記載の照明器具の取付位置調整構造。
【請求項５】
前記リング体は、前記アダプターに対して嵌合可能な嵌合構造を有する２つの同一形状のリング体より構成されている
ことを特徴とする請求項１に記載の照明器具の取付位置調整構造。
【請求項６】
前記リング体は、前記アダプターに対して正逆いずれからも嵌合可能な嵌合構造を有し、
正逆を入れ替えてアダプターに嵌合させることにより、当該リング体の位置を上下方向に調整可能とした
ことを特徴とする請求項１に記載の照明器具の取付位置調整構造。
【請求項７】
前記嵌合構造が、螺合構造である
ことを特徴とする請求項１〜６のいずれか１項に記載の照明器具の取付位置調整構造。
【発明の詳細な説明】
【技術分野】
【０００１】
本発明は、照明器具を取り付ける位置の調整構造に関し、天井に取り付けられる引っ掛けシーリングローゼット（以下、「ローゼット」という。）に取り付けて電気的に接続されるアダプターに取り付ける照明器具の取付位置を調整可能とした照明器具の取付位置調整構造に関する。
【背景技術】
【０００２】
従来より使用されている天井に取り付けられるローゼットは、その種類により、天井面から下方に突出する距離が異なっている。例えば埋込型のローゼットは約１０ｍｍであり、露出型のローゼットでは約２２ｍｍである。その距離の調整は、下記特許文献１に示すように、照明器具を取り付ける位置を上下２段階に変更できるアダプターを使用したり、下記特許文献２に示すように、照明器具側に照明器具を天井側に押し付けるナットを備える構造を採用していた。
【０００３】
しかしながら、前記のアダプターは
【先行技術文献】
【特許文献】
【０００４】
【特許文献１】特開２０００−３０５２３号公報
【特許文献２】特開２０１７−１０６８３号公報
【発明の概要】
【発明が解決しようとする課題】
【０００５】
しかしながら、特許文献１に記載のアダプターは特殊構造であり、高価である欠点がある。また、特許文献２に記載の構造は、やや複雑である。
【０００６】
そこで、本願の発明者は、安価で、かつ、構造が簡単な照明器具の取付位置調整構造を開発した。
【課題を解決するための手段】
【０００７】
本発明に係る請求項１の照明器具の取付位置調整構造は、天井に取り付けられるローゼットに取り付けて電気的に接続されるアダプターに取り付ける照明器具の取付位置調整構造であって、前記取付位置調整構造は、前記アダプターと、前記アダプターに対して嵌合可能な嵌合構造を有するリング体とから構成され、前記リング体を上下に移動させることにより、当該リング体の位置を上下方向に調整可能としたことを特徴とする。
【０００８】
本発明に係る請求項２の照明器具の取付位置調整構造は、前記請求項１の照明器具の取付位置調整構造の構成に加えて、前記リング体は、照明器具を取り付けるための水平方向に延出する環状の鍔片を備えていることを特徴とする。
【０００９】
本発明に係る請求項３の照明器具の取付位置調整構造は、前記請求項２の照明器具の取付位置調整構造の構成に加えて、前記鍔片は、前記リング体と分離可能に構成されていることを特徴とする。
【００１０】
本発明に係る請求項４の照明器具の取付位置調整構造は、前記請求項１の照明器具の取付位置調整構造の構成に加えて、前記リング体は、当該リング体とは別に前記アダプターに対して嵌合可能な嵌合構造を有する副リング体を備えていることを特徴とする。
【００１１】
本発明に係る請求項５の照明器具の取付位置調整構造は、前記請求項１の照明器具の取付位置調整構造の構成に加えて、前記リング体は、前記アダプターに対して嵌合可能な嵌合構造を有する２つの同一形状のリング体より構成されていることを特徴とする。
【００１２】
本発明に係る請求項６の照明器具の取付位置調整構造は、前記請求項１の照明器具の取付位置調整構造の構成に加えて、前記リング体は、前記アダプターに対して正逆いずれからも嵌合可能な嵌合構造を有し、正逆を入れ替えてアダプターに嵌合させることにより、当該リング体の位置を上下方向に調整可能としたことを特徴とする。
【００１３】
本発明に係る請求項７の照明器具の取付位置調整構造は、前記請求項１〜６のいずれかの照明器具の取付位置調整構造の構成に加えて、前記嵌合構造が、螺合構造であることを特徴とする。
【００１４】
なお、上記の「前記アダプターに対して正逆いずれからも嵌合可能な嵌合構造を有するリング体」の意味は、アダプターに対してリング体を嵌合する場合と、前記リング体の上下を逆にしてアダプターに嵌合する場合とのいずれの嵌合も可能であるという意味である。
【発明の効果】
【００１５】
上記の照明器具の取付位置調整構造は、構造が簡単であり、かつ、安価である。
【図面の簡単な説明】
【００１６】
【図１】本発明の実施例１に係る照明器具の取付位置調整構造であって、アダプターにリング体を嵌め込もうとする状態を上方から見た斜視図である。
【図２】図１を下方から見た斜視図である。
【図３】本発明の実施例１に係る照明器具の取付位置調整構造であって、照明器具を水平方向に切断して表し、ローゼットにアダプターを取り付けてリング体により照明器具を固定しようとする状態を上方から見た斜視図である（ハッチングは省略する）。
【図４】図３を下方から見た斜視図である。
【図５】本発明の実施例１に係る照明器具の取付位置調整構造であって、ローゼットにアダプターを取り付けてリング体により照明器具を固定した状態を上方から見た斜視図である。
【図６】図５を下方から見た斜視図である。
【図７】図５において、照明器具を水平方向に切断して表し、水平方向から見た側面図である（ハッチングは省略する）。
【図８】図１のリング体を逆さまにして、アダプターにリング体を嵌め込もうとする状態を上方から見た斜視図である。
【図９】図８を下方から見た斜視図である。
【図１０】本発明の実施例１に係る照明器具の取付位置調整構造であって、図８のようにリング体を逆さまに装着した状態において、照明器具を水平方向に切断して表し、ローゼットにアダプターを取り付けてリング体により照明器具を固定しようとする状態を上方から見た斜視図である（ハッチングは省略する）。
【図１１】図１０を下方から見た斜視図である。
【図１２】本発明の実施例１に係る照明器具の取付位置調整構造であって、図８のようにリング体を逆さまに装着した状態において、ローゼットにアダプターを取り付けてリング体により照明器具を固定した状態を上方から見た斜視図である。
【図１３】図１２を下方から見た斜視図である。
【図１４】図１２において、照明器具を水平方向に切断して表し、水平方向から見た側面図である（ハッチングは省略する）。
【図１５】本発明の実施例２に係る照明器具の取付位置調整構造であって、照明器具を水平方向に切断して表し、ローゼットにアダプターを取り付けてリング体により照明器具を固定しようとする状態を上方から見た斜視図である（ハッチングは省略する）。
【図１６】図１５を下方から見た斜視図である。
【図１７】本発明の実施例２に係る照明器具の取付位置調整構造であって、ローゼットにアダプターを取り付けてリング体により照明器具を固定した状態を上方から見た斜視図である。
【図１８】図１７を下方から見た斜視図である。
【図１９】図１７において、照明器具を水平方向に切断して表し、水平方向から見た側面図である（ハッチングは省略する）。
【図２０】本発明の実施例３に係る照明器具の取付位置調整構造であって、照明器具を水平方向に切断して表し、ローゼットにアダプターを取り付けてリング体により照明器具を固定しようとする状態を上方から見た斜視図である（ハッチングは省略する）。
【図２１】図２０を下方から見た斜視図である。
【図２２】本発明の実施例３に係る照明器具の取付位置調整構造であって、ローゼットにアダプターを取り付けてリング体により照明器具を固定した状態を上方から見た斜視図である。
【図２３】図２２を下方から見た斜視図である。
【図２４】図２２において、照明器具を水平方向に切断して表し、水平方向から見た側面図である（ハッチングは省略する）。
【発明を実施するための形態】
【００１７】
次に本発明の好適な実施例を添付の図面に基づいて詳細に説明する。
【実施例１】
【００１８】
図１〜図９は実施例１を示し、各図において、Ａはアダプターであって、アダプターＡは、その上面に備える一対の爪１、２を利用して、天井に取り付けられている図３及び図４に示すローゼットＢ１に引っ掛けて取り付けられる。ローゼットＢ１は、天井面から下方に突出する距離が約２２ｍｍの露出型のローゼットである。前記爪１、２は、ローゼットＢ１に対して電気的に接続されており、アダプターＡの底面から延出するコード３に電気的に接続されており、当該コード３は照明器具Ｃ側に接続される。
【００１９】
なお、図３〜７においては、内部の構造を理解しやすくするために、天井面に接する照明器具の天面板のみを表し、天面板下部及びランプ等は省略している。
【００２０】
アダプターＡは、円柱状をなしていて、その外周面には、後述するリング体１０に螺合するようにねじ山が形成されている。なお、リング体１０が螺合しすぎて、アダプターＡの上方に抜け出ないように、アダプターＡの外周面上端はねじ山が形成されておらず、僅かながら径大に構成されている。
【００２１】
１０はリング体を示し、リング体１０は、前記アダプターに螺合できるように，その内周面にねじ山が形成されている。
【００２２】
また、リング体１０には、その外周面に水平方向に延出する環状の鍔片１１が形成されている。この鍔片１１の位置は、リング体１０の外周における軸方向の一方の端部側に形成されている。なお、鍔片１１は端部ぎりぎりに形成する必要はなく、端部から小許の間隔をあけて形成してもよい。
【００２３】
さらに、リング体１０は、図１〜図７に示すように、その一方の側からアダプターＡに螺合することができ、また、図８〜図１４に示すように、他方の側からもアダプターＡに螺合することができる。すなわちリング体１０は、その上下を問わず正逆いずれからもアダプターＡに螺合することができるようになっている。
【００２４】
図１〜図７に示す場合は、天井面から下方に突出する距離が約２２ｍｍの露出型のローゼットＢ１であるため、鍔片１１を上部側にしてリング体１０をローゼットＢ１に装着する。
【００２５】
一方、図８〜図１４に示す場合は、天井面から下方に突出する距離が約１０ｍｍの埋込型のローゼットＢ２であるため、鍔片１１を下部側にしてリング体１０をローゼットＢ２に装着する。
【００２６】
なお、ローゼットＢ１及びＢ２はこれに限られるものではなく、天井面から下方に突出する距離が長いローゼットの場合には、図１〜図７に示すように、鍔片１１を上部側にしてリング体１０を装着し、天井面から下方に突出する距離が短いローゼットの場合には、図８〜図１４に示すように、鍔片１１を下部側にしてリング体１０を装着する。
【００２７】
前記アダプターＡは、アダプターＡに備える爪１、２側を上にして、照明器具側の上面に形成されている丸穴Ｃ１に対して、その下方から上方に向かって押し上げられて、ローゼットＢ１，Ｂ２に取り付けられるものであり、その際、アダプターＡに螺合された当該鍔片１１上には、照明器具側の上面の丸穴Ｃ１の周縁部Ｃ２が載置されるようになっている。
【００２８】
上記のようにアダプターＡとリング体１０とを構成したことにより、図３、図４、図１０、図１１に示すように、前記リング体１０をアダプターＡに対して螺合し、その状態において、リング体１０を回すことにより上方に移動させ、照明器具側の上面の丸穴Ｃ１の周縁部Ｃ２に対して鍔片１１を押し上げるようにしてアダプターＡに対して前記リング体１０を回して締め付けると、図５〜図７、図１２〜図１４に示すように、アダプターＡに照明器具Ｃを固定的に取り付けることができる。
【００２９】
図１〜図７はリング体１０における鍔片１１側を上にしてアダプターＡに螺合しようとした状態であり、この状態においては、下向きの出代が例えば２２ｍｍの厚みが薄いローゼットに適している。
【００３０】
図８〜図１４はリング体１０を上下逆にして螺合させた場合であって、鍔片１１側を下にしてアダプターＡに螺合しようとした状態であり、この状態においては、下向きの出代が例えば１１ｍｍの厚みがあるローゼットに適している。
【００３１】
このように構成することで、照明器具Ｃを取り付ける位置の調整が容易となる。
【実施例２】
【００３２】
図１５〜図１９は実施例２を示し、本実施例は、実施例１におけるリング体１０の変更例であり、実施例１においてはリング体１０に鍔片１１を形成したものであるが、本実施例においては、実施例１におけるリング体１０と鍔片１１とを分離し、主リング体２０と副リング体２１とから、実施例１のリング体１０及び鍔片１１に代えて構成したものである。
【００３３】
なお、各図においては、内部の構造を理解しやすくするために、天井面に接する照明器具の天面板のみを表し、天面板下部及びランプ等は省略している。
【００３４】
すなわち、主リング体２０及び副リング体２１は、その双方共に、ねじ山を内壁に形成した同径の螺合穴を備えるものであり、副リング体２１の外径は主リング体２０の外径よりも大きく形成し、主リング体２０の外径は照明器具Ｃの丸穴Ｃ１よりも小径であり、副リング体２１の外径は照明器具Ｃの丸穴Ｃ１よりも大径である。それ以外の構成は実施例１と同様であるので、説明を省略する。
【００３５】
図１０及び図１１に示すように、主リング体２０ａと副リング体２１とが分離しており、まずアダプターＡに主リング体２０ａを螺合して照明器具Ｃの丸穴Ｃ１に進入させ、次いで副リング体２１を螺合させていくと、副リング体２１は径大なので照明器具Ｃの丸穴Ｃ１の周縁部Ｃ２に当接し、さらに副リング体２１を回転させて締め上げると、図１３〜図１５に示すように、照明器具Ｃは、ローゼットＢ１に引っ掛けられて取り付けられているアダプターＡに固定されることになる。
【００３６】
径小の主リング体２０を先に螺合させて照明器具Ｃの丸穴Ｃ１に進入させ、後から照明器具Ｃの丸穴Ｃ１の周縁部Ｃ２に当接するように副リング体２１を螺合させる状態においては、下向きの出代が例えば１１ｍｍの厚みがあるローゼットに適している。
【００３７】
逆に先に照明器具Ｃの丸穴Ｃ１の周縁部Ｃ２に当接するように副リング体２１を螺合させ、その後から径小の主リング体２０を螺合させる状態の場合には、下向きの出代が例えば２２ｍｍの厚みが薄いローゼットに適している。
【００３８】
また、主リング体２０の長さが異なるものを複数揃えておけば、位置調整の自由度が向上する。なお、必ずしも主リング体２０は必要としない。
【００３９】
このように構成することで、照明器具Ｃを取り付ける位置の調整が容易となる。
【実施例３】
【００４０】
図１５〜図１９は実施例３を示し、本実施例は、実施例２における主リング体２０と副リング体２１の変更例であり、実施例２においては、主リング体２０及び副リング体２１を、その双方共に、ねじ山を内壁に形成した同径の螺合穴を備え、副リング体２１の外径は主リング体２０の外径よりも大きく形成したものである。
【００４１】
なお、各図においては、内部の構造を理解しやすくするために、天井面に接する照明器具の天面板のみを表し、天面板下部及びランプ等は省略している。
【００４２】
実施例３においては、同一形状の２つのリング体３０を使用するものであり、２つのリング体３０は、その双方共に、ねじ山を内壁に形成した同径の螺合穴を備え、２つのリング体３０の外径は照明器具Ｃの丸穴Ｃ１よりも大径である。
【００４３】
すなわち、ローゼットＢ１に引っ掛けて取り付けられているアダプターＡに、まず、一方のリング体３０を螺合しておき、その後に、照明器具Ｃを、その丸穴Ｃ１を利用してアダプターＡに挿通し、そして、照明器具Ｃの丸穴Ｃ１に対してもう一方のリング体３０を螺合していく。丁度、２つのリング体３０の間に照明器具Ｃの丸穴Ｃ１の周縁部Ｃ２が挟持されるような状態で照明器具Ｃを固定する。
【００４４】
このような構成を有する実施例３においては、アダプターＡに対してリング体３０の位置が自在であり、天井面から露出する距離の長短いずれのローゼットに対しても、すなわち距離１１ｍｍのローゼットであっても距離２２ｍｍのローゼットであっても自由に調節してアダプターＡに照明器具Ｃを固定することができる。
【００４５】
このように構成することで、照明器具Ｃを取り付ける位置の調整が容易となる。
【００４６】
以上、本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００４７】
Ａ・・・アダプター
１、２・引っ掛け用の爪
Ｂ１・・天井面からの距離が長いローゼット
Ｂ２・・天井面からの距離が短いローゼット
３・・・コード
Ｃ・・・照明器具
１０・・リング体
１１・・環状の鍔片
Ｃ１・・照明器具の丸穴
Ｃ２・・丸穴の周縁部
２０・・主リング体
２１・・副リング体
３０・・リング体
【図１】
2020202041.tif 000003
【図２】
2020202041.tif 000004
【図３】
2020202041.tif 000005
【図４】
2020202041.tif 000006
【図５】
2020202041.tif 000007
【図６】
2020202041.tif 000008
【図７】
2020202041.tif 000009
【図８】
2020202041.tif 000010
【図９】
2020202041.tif 000011
【図１０】
2020202041.tif 000012
【図１１】
2020202041.tif 000013
【図１２】
2020202041.tif 000014
【図１３】
2020202041.tif 000015
【図１４】
2020202041.tif 000016
【図１５】
2020202041.tif 000017
【図１６】
2020202041.tif 000018
【図１７】
2020202041.tif 000019
【図１８】
2020202041.tif 000020
【図１９】
2020202041.tif 000021
【図２０】
2020202041.tif 000022
【図２１】
2020202041.tif 000023
【図２２】
2020202041.tif 000024
【図２３】
2020202041.tif 000025
【図２４】
2020202041.tif 000026